(57)【特許請求の範囲】
【請求項１】
コンピューターの記憶装置に対する清掃設備であって、ケースを含み、前記ケースの内側下端には輸送空間が設置され、前記ケースの内側上端には前記輸送空間と連通した昇降空間が設置され、前記昇降空間の右側には伝動空間が設置され、前記伝動空間の中には本願発明に動力を提供できる伝動機構が設置され、前記伝動空間の中にはまた昇降作用を果たせる昇降機構が設置され、前記昇降空間の中には記憶装置を清掃できる清掃機構が設置され、前記輸送空間の中には清掃待ちの記憶装置を持続的に送られる輸送機構が設置され、前記清掃機構は前記昇降空間の上側に位置する変位空間を含み、前記変位空間の中には前記変位空間内で上下方向にスライドできる変位板が設置され、前記変位板の下端面には前記昇降空間の中に延在するラックが固定的に連結され、前記変位板の下端面には弾力バネが設置され、前記弾力バネと前記変位空間の下内壁とが連結され、前記ラックの下端面には昇降ケースが固定的に連結され、前記昇降ケースの中には作動空間が設置され、前記作動空間の上内壁には第一回転ロッドが回転可能に連結され、前記作動空間の上内壁には前記第一回転ロッドの右側に位置する第二回転ロッドが回転可能に連結され、前記第一回転ロッドの下端面には旋転板が固定的に連結され、前記旋転板の下端面には二本の伸縮ロッドが固定的に連結され、前記伸縮ロッドには昇降ブロックが前記伸縮ロッドに貫通して連結され、前記昇降ブロックの上端面には二本の伸縮バネが固定的に連結され、前記伸縮バネと前記旋転板の下端面とが連結され、前記伸縮ロッドの下端面には固定板が固定的に連結され、前記昇降ブロックの中には消しゴムが固定的に連結され、前記第二回転ロッドの下端面にはブラシが固定的に連結され、前記第一回転ロッドには第一ウォームホイールが設置され、前記ブラシには第二ウォームホイールが設置され、前記伝動空間の左内壁には回転軸が回転可能に連結され、前記回転軸の左端が前記昇降ケースを貫通しており、また前記回転軸が前記第一ウォームホイール及び前記第二ウォームホイールと噛み合っており、前記回転軸の右端には前記伝動空間の中に位置する従動プーリが設置され、前記昇降空間の左内壁には右方に開口した移動空間が設置され、前記移動空間の左内壁には右方に開口したプッシュ板空間が設置され、前記移動空間の中には前記移動空間内で上下方向にスライドできる移動ブロックが設置され、また前記移動ブロックの右端面と前記回転軸とが固定的に連結され、前記移動ブロックの上端面には麻縄が固定的に連結され、前記移動ブロックの左端面には複数の等間隔に配列した引っ掛かり溝が形成され、前記プッシュ板空間の中には前記プッシュ板空間内で左右方向にスライドできるプッシュ板が設置され、前記プッシュ板の右端には複数の等間隔に配列しかつ右方に開口した止めブロック空間が設置され、前記止めブロック空間の中には前記止めブロック空間内で左右方向にスライドできる止めブロックが設置され、前記止めブロックの左端面には前記止めブロック空間と連結された支持バネが固定的に連結され、前記プッシュ板の左端面には二本の復帰バネが固定的に連結され、二本の前記復帰バネと前記プッシュ板空間の左内壁とが連結され、前記プッシュ板の右端面には引き紐が固定的に連結され、
本願発明は前記伝動機構により動力が提供され、それから前記輸送機構により清掃待ちの記憶装置を持続的に送り、最後に、前記昇降機構を下げることによって前記清掃機構を利用して記憶装置に対して清掃を行い、
前記伝動機構は前記伝動空間の右側に位置する駆動空間を含み、前記駆動空間の右内壁にはモーターが固定的に連結され、前記モーターの左端には伝動軸が伝動可能に連結され、前記伝動軸の左端が前記伝動空間の中に延在し、前記伝動軸の右端には前記駆動空間の中に位置する第一傘歯車が設置され、前記伝動軸の左端には前記伝動空間の中に位置するラチェットが設置され、前記ラチェットの中には十個のプッシュブロック空間が等間隔に設置され、前記プッシュブロック空間の中にはいずれも前記プッシュブロック空間内で上下方向にスライドできるプッシュブロックが設置され、前記プッシュブロックの下端面にはリニアスプリングが固定的に連結され、前記リニアスプリングと前記プッシュブロック空間の下内壁とが連結され、前記伝動軸の左端には前記ラチェットの左側に位置するスライド歯車がキーにより連結され、前記スライド歯車の中には左方に開口したスライド空間が設置され、前記スライド空間の中には前記スライド空間内でスライドできるスライダが設置され、前記スライダの左端面には前記麻縄の一端が固定的に連結され、前記伝動軸の左端には前記スライド歯車の右側に位置する環状板が設置され、前記環状板の左端面には二本の連結バネが固定的に連結され、前記連結バネと前記スライド歯車の右端面とが連結され、前記伝動軸の左端にはまた前記スライド歯車の左側に位置する主動プーリが設置され、前記主動プーリにはベルトが設置され、前記ベルトと前記従動プーリとが連結されており、
前記昇降機構は前記伝動空間の左内壁に回転可能に連結された回転ロッドを含み、また前記回転ロッドの左端が前記昇降空間の中に延在し、前記回転ロッドの右端には前記伝動空間の中に位置する従動歯車が設置され、前記回転ロッドの左端には前記昇降空間の中に位置し、かつ前記ラックと噛み合った旋転歯車が設置され、前記伝動空間の左内壁には前記伝動軸と前記回転軸との中間に位置する固定ロッドが固定的に連結され、前記固定ロッドの右端面には支持ブロックが固定的に連結され、前記支持ブロックには二つの張り空間が設置され、前側の前記張り空間が前に開口しており、後側の前記張り空間が後ろに開口しており、前記張り空間の中にはいずれも前記張り空間内で前後方向にスライドできる張り板が設置され、前側の前記張り板と後側の前記張り板の後端面には張りブロックが固定的に連結され、前記張りブロックにはいずれも旋転ロッドが回転可能に連結され、前側と後側の前記張り板の後端面及び前端面にはそれぞれ張りバネが固定的に連結され、前記張りバネが前記張り空間の後内壁及び前内壁とそれぞれ連結され、前記旋転ロッドにはいずれも張り車が設置され、前記張り車には前記ベルトが連結され、前記伝動空間の上内壁には下方に開口した活動空間が設置され、前記活動空間の中には前記活動空間内で上下方向にスライドできる活動板が設置され、前記活動板の下端面には前記伝動空間の中に延在する活動ロッドが固定的に連結され、前記活動板の下端面には弾性バネが固定的に連結され、前記弾性バネと前記活動空間の下内壁とが連結され、前記活動板の左端面には前記引き紐が固定的に連結されており、
前記輸送機構は前記輸送空間の右側の前内壁と後内壁に回転可能に連結された主動鎖歯車軸を含み、前記主動鎖歯車軸には主動鎖歯車が設置され、前記輸送空間の左側の前内壁と後内壁には一つの従動鎖歯車軸が回転可能に連結され、前記従動鎖歯車軸には従動鎖歯車が設置され、前記従動鎖歯車と前記主動鎖歯車にはいずれも鎖が連結され、前記鎖の外面には複数の固定ブロックが等間隔に固定され、前側の前記固定ブロックと後側の前記固定ブロックの中にはそれぞれ後ろに開口した固定空間と前に開口した固定空間が設置され、前記固定空間の下内壁の中にはいずれも上方に開口した圧縮空間が設置され、前記圧縮空間の中には前記圧縮空間内で前後方向にスライドできる圧縮ブロックが設置され、前側の前記圧縮ブロックの前端面には圧縮バネが固定的に連結され、前記圧縮バネと前記圧縮空間の前内壁とが連結され、前記圧縮ブロックの上端面には前記固定空間の中に位置する圧着板が固定的に連結され、前記輸送空間の内部左側の上内壁には外部空間と連通した記憶装置送り込み口が設置され、前記輸送空間の右側には集め空間が設置され、前記集め空間の左内壁には前記輸送空間と連通した記憶装置送り出し口が設置され、前記集め空間の右内壁には外部空間と連通した記憶装置取り口が設置され、前記輸送空間の右内壁には止めブロックが固定的に連結され、清掃完了の記憶装置が前記止めブロックに止められ、前記記憶装置送り出し口により前記集め空間に落ちて収集され、前記駆動空間の下内壁には旋転軸が回転可能に連結され、前記旋転軸の下端が前記輸送空間の中に延在し、前記旋転軸の上端には前記第一傘歯車と噛み合った第二傘歯車が設置され、前記旋転軸の下端には第三傘歯車が設置され、前記主動鎖歯車軸の後端には前記第三傘歯車と噛み合った第四傘歯車が設置されており、
初期状態において、前記変位板が前記弾力バネの作用により前記変位空間の上端に位置し、前記昇降ケースが前記ラックの作用で前記昇降空間の上端に位置しており、
初期状態において、前記スライド歯車が前記従動歯車の下側に位置し、前記スライド歯車と前記従動歯車とが噛み合った状態にあり、前記連結バネの引張力は前記スライド歯車が前記伝動軸でスライドする時に受けた摩擦力より大きいことを特徴とするコンピューターの記憶装置に対する清掃設備。
【発明の詳細な説明】
【技術分野】
【０００１】
本願発明はコンピューター分野に関わり、具体的にはコンピューターの記憶装置に対する清掃設備である。
【背景技術】
【０００２】
コンピューターの記憶装置はコンピューターに対して重要な部品であり、記憶装置をしばらく使用した後、記憶装置にはほこりや汚れが積もってくる。ほこりや汚れがたくさん積もると、記憶装置はコンピューターとの接触が良くなくなり、こうして不必要な問題が引き起こされる。今、コンピューターの記憶装置に対して清掃するとき、一般的に人工清掃の方法を用い、こういう方法は清掃の効率が低いだけでなく、コンピューターの記憶装置が大きい場合には、清掃員は疲れて清掃が徹底しなくなる。
【先行技術文献】
【特許文献】
【０００３】
【特許文献１】中国特許出願公開第１１０４０４８３１号明細書
【発明の概要】
【発明が解決しようとする課題】
【０００４】
本願発明はコンピューターの記憶装置に対する清掃設備を提供し、清掃効率が低くて清掃が徹底しないなどの問題を解決し、清掃効率と清掃の徹底さを向上させる。
【課題を解決するための手段】
【０００５】
本願発明は以下の技術プランにより実現される。
【０００６】
本願発明のコンピューターの記憶装置に対する清掃設備は、ケースを含み、前記ケースの内側下端には輸送空間が設置され、前記ケースの内側上端には前記輸送空間と連通した昇降空間が設置され、前記昇降空間の右側には伝動空間が設置され、前記伝動空間の中には本願発明に動力を提供できる伝動機構が設置され、前記伝動空間の中にはまた昇降作用を果たせる昇降機構が設置され、前記昇降空間の中には記憶装置を清掃できる清掃機構が設置され、前記輸送空間の中には清掃待ちの記憶装置を持続的に送られる輸送機構が設置され、前記清掃機構は前記昇降空間の上側に位置する変位空間を含み、前記変位空間の中には前記変位空間内で上下方向にスライドできる変位板が設置され、前記変位板の下端面には前記昇降空間の中に延在するラックが固定的に連結され、前記変位板の下端面には弾力バネが設置され、前記弾力バネと前記変位空間の下内壁とが連結され、前記ラックの下端面には昇降ケースが固定的に連結され、前記昇降ケースの中には作動空間が設置され、前記作動空間の上内壁には第一回転ロッドが回転可能に連結され、前記作動空間の上内壁には前記第一回転ロッドの右側に位置する第二回転ロッドが回転可能に連結され、前記第一回転ロッドの下端面には旋転板が固定的に連結され、前記旋転板の下端面には二本の伸縮ロッドが固定的に連結され、前記伸縮ロッドには昇降ブロックが前記伸縮ロッドに貫通して連結され、前記昇降ブロックの上端面には二本の伸縮バネが固定的に連結され、前記伸縮バネと前記旋転板の下端面とが連結され、前記伸縮ロッドの下端面には固定板が固定的に連結され、前記昇降ブロックの中には消しゴムが固定的に連結され、前記第二回転ロッドの下端面にはブラシが固定的に連結され、前記第一回転ロッドには第一ウォームホイールが設置され、前記ブラシには第二ウォームホイールが設置され、前記伝動空間の左内壁には回転軸が回転可能に連結され、前記回転軸の左端が前記昇降ケースを貫通しており、また前記回転軸が前記第一ウォームホイール及び前記第二ウォームホイールと噛み合っており、前記回転軸の右端には前記伝動空間の中に位置する従動プーリが設置され、前記昇降空間の左内壁には右方に開口した移動空間が設置され、前記移動空間の左内壁には右方に開口したプッシュ板空間が設置され、前記移動空間の中には前記移動空間内で上下方向にスライドできる移動ブロックが設置され、また前記移動ブロックの右端面と前記回転軸とが固定的に連結され、前記移動ブロックの上端面には麻縄が固定的に連結され、前記移動ブロックの左端面には複数の等間隔に配列した引っ掛かり溝が形成され、前記プッシュ板空間の中には前記プッシュ板空間内で左右方向にスライドできるプッシュ板が設置され、前記プッシュ板の右端には複数の等間隔に配列しかつ右方に開口した止めブロック空間が設置され、前記止めブロック空間の中には前記止めブロック空間内で左右方向にスライドできる止めブロックが設置され、前記止めブロックの左端面には前記止めブロック空間と連結された支持バネが固定的に連結され、前記プッシュ板の左端面には二本の復帰バネが固定的に連結され、二本の前記復帰バネと前記プッシュ板空間の左内壁とが連結され、前記プッシュ板の右端面には引き紐が固定的に連結され、
本願発明は前記伝動機構により動力が提供され、それから前記輸送機構により清掃待ちの記憶装置を持続的に送り、最後に、前記昇降機構を下げることによって前記清掃機構を利用して記憶装置に対して清掃を行う。
【０００７】
前記伝動機構は前記伝動空間の右側に位置する駆動空間を含み、前記駆動空間の右内壁にはモーターが固定的に連結され、前記モーターの左端には伝動軸が伝動可能に連結され、前記伝動軸の左端が前記伝動空間の中に延在し、前記伝動軸の右端には前記駆動空間の中に位置する第一傘歯車が設置され、前記伝動軸の左端には前記伝動空間の中に位置するラチェットが設置され、前記ラチェットの中には十個のプッシュブロック空間が等間隔に設置され、前記プッシュブロック空間の中にはいずれも前記プッシュブロック空間内で上下方向にスライドできるプッシュブロックが設置され、前記プッシュブロックの下端面にはリニアスプリングが固定的に連結され、前記リニアスプリングと前記プッシュブロック空間の下内壁とが連結され、前記伝動軸の左端には前記ラチェットの左側に位置するスライド歯車がキーにより連結され、前記スライド歯車の中には左方に開口したスライド空間が設置され、前記スライド空間の中には前記スライド空間内でスライドできるスライダが設置され、前記スライダの左端面には前記麻縄の一端が固定的に連結され、前記伝動軸の左端には前記スライド歯車の右側に位置する環状板が設置され、前記環状板の左端面には二本の連結バネが固定的に連結され、前記連結バネと前記スライド歯車の右端面とが連結され、前記伝動軸の左端にはまた前記スライド歯車の左側に位置する主動プーリが設置され、前記主動プーリにはベルトが設置され、前記ベルトと前記従動プーリとが連結される。
【０００８】
前記昇降機構は前記伝動空間の左内壁に回転可能に連結された回転ロッドを含み、また前記回転ロッドの左端が前記昇降空間の中に延在し、前記回転ロッドの右端には前記伝動空間の中に位置する従動歯車が設置され、前記回転ロッドの左端には前記昇降空間の中に位置し、かつ前記ラックと噛み合った旋転歯車が設置され、前記伝動空間の左内壁には前記伝動軸と前記回転軸との中間に位置する固定ロッドが固定的に連結され、前記固定ロッドの右端面には支持ブロックが固定的に連結され、前記支持ブロックには二つの張り空間が設置され、前側の前記張り空間が前に開口しており、後側の前記張り空間が後ろに開口しており、前記張り空間の中にはいずれも前記張り空間内で前後方向にスライドできる張り板が設置され、前側の前記張り板と後側の前記張り板の後端面には張りブロックが固定的に連結され、前記張りブロックにはいずれも旋転ロッドが回転可能に連結され、前側と後側の前記張り板の後端面及び前端面にはそれぞれ張りバネが固定的に連結され、前記張りバネが前記張り空間の後内壁及び前内壁とそれぞれ連結され、前記旋転ロッドにはいずれも張り車が設置され、前記張り車には前記ベルトが連結され、前記伝動空間の上内壁には下方に開口した活動空間が設置され、前記活動空間の中には前記活動空間内で上下方向にスライドできる活動板が設置され、前記活動板の下端面には前記伝動空間の中に延在する活動ロッドが固定的に連結され、前記活動板の下端面には弾性バネが固定的に連結され、前記弾性バネと前記活動空間の下内壁とが連結され、前記活動板の左端面には前記引き紐が固定的に連結される。
【０００９】
前記輸送機構は前記輸送空間の右側の前内壁と後内壁に回転可能に連結された主動鎖歯車軸を含み、前記主動鎖歯車軸には主動鎖歯車が設置され、前記輸送空間の左側の前内壁と後内壁には一つの従動鎖歯車軸が回転可能に連結され、前記従動鎖歯車軸には従動鎖歯車が設置され、前記従動鎖歯車と前記主動鎖歯車にはいずれも鎖が連結され、前記鎖の外面には複数の固定ブロックが等間隔に固定され、前側の前記固定ブロックと後側の前記固定ブロックの中にはそれぞれ後ろに開口した固定空間と前に開口した固定空間が設置され、前記固定空間の下内壁の中にはいずれも上方に開口した圧縮空間が設置され、前記圧縮空間の中には前記圧縮空間内で前後方向にスライドできる圧縮ブロックが設置され、前側の前記圧縮ブロックの前端面には圧縮バネが固定的に連結され、前記圧縮バネと前記圧縮空間の前内壁とが連結され、前記圧縮ブロックの上端面には前記固定空間の中に位置する圧着板が固定的に連結され、前記輸送空間の内部左側の上内壁には外部空間と連通した記憶装置送り込み口が設置され、前記輸送空間の右側には集め空間が設置され、前記集め空間の左内壁には前記輸送空間と連通した記憶装置送り出し口が設置され、前記集め空間の右内壁には外部空間と連通した記憶装置取り口が設置され、前記輸送空間の右内壁には止めブロックが固定的に連結され、清掃完了の記憶装置が前記止めブロックに止められ、前記記憶装置送り出し口により前記集め空間に落ちて収集され、前記駆動空間の下内壁には旋転軸が回転可能に連結され、前記旋転軸の下端が前記輸送空間の中に延在し、前記旋転軸の上端には前記第一傘歯車と噛み合った第二傘歯車が設置され、前記旋転軸の下端には第三傘歯車が設置され、前記主動鎖歯車軸の後端には前記第三傘歯車と噛み合った第四傘歯車が設置される。
【００１０】
初期状態において、前記変位板が前記弾力バネの作用により前記変位空間の上端に位置し、前記昇降ケースが前記ラックの作用で前記昇降空間の上端に位置している。
【００１１】
初期状態において、前記スライド歯車が前記従動歯車の下側に位置し、前記スライド歯車と前記従動歯車とが噛み合った状態にあり、前記連結バネの引張力は前記スライド歯車が前記伝動軸でスライドする時に受けた摩擦力より大きい。
【発明の効果】
【００１２】
本願発明の有益な効果は：本願発明は構成が簡単で、操作が便利である。本願発明は作動する時に、自動的に清掃機構を清掃に最も適合な高度に下げられ、それから記憶装置の表面に清掃を自動的に行い、本願発明は記憶装置に対して清掃を二回行い、まず、消しゴムを利用して記憶装置の表面に積もった汚れを全般的に除去し、さらにブラシにより記憶装置表面についたゴムくずを清掃し、本願発明は持続的に記憶装置を清掃でき、清掃効率を大いに高められる。
【図面の簡単な説明】
【００１３】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１４】
【図１】図１は本願発明の構成概略図
【図２】図２は本願発明実施例における固定ブロックの全断面の右側面からの構成概略図
【図３】図３は本願発明実施例における主動鎖歯車軸の部分断面の正面からの構成概略図
【図４】図４は本願発明実施例における図１のＡ―Ａの構成概略図
【図５】図５は本願発明実施例における図１のＢ―Ｂの構成概略図
【図６】図６は本願発明実施例における図１のＡの構成概略図
【図７】図７は本願発明実施例における図１のＢの構成概略図
【発明を実施するための形態】
【００１５】
図面１〜７に示しているコンピューターの記憶装置に対する清掃設備は、ケース１０を含み、前記ケース１０の内側下端には輸送空間２６が設置され、前記ケース１０の内側上端には前記輸送空間２６と連通した昇降空間８６が設置され、前記昇降空間８６の右側には伝動空間４８が設置され、前記伝動空間４８の中には本願発明に動力を提供できる伝動機構６０が設置され、前記伝動空間４８の中にはまた昇降作用を果たせる昇降機構５０が設置され、前記昇降空間８６の中には記憶装置を清掃できる清掃機構４３が設置され、前記輸送空間２６の中には清掃待ちの記憶装置を持続的に送られる輸送機構２７が設置され、前記清掃機構４３は前記昇降空間８６の上側に位置する変位空間３９を含み、前記変位空間３９の中には前記変位空間３９内で上下方向にスライドできる変位板４１が設置され、前記変位板４１の下端面には前記昇降空間８６の中に延在するラック４０が固定的に連結され、前記変位板４１の下端面には弾力バネ３８が設置され、前記弾力バネ３８と前記変位空間３９の下内壁とが連結され、前記ラック４０の下端面には昇降ケース３４が固定的に連結され、前記昇降ケース３４の中には作動空間３６が設置され、前記作動空間３６の上内壁には第一回転ロッド３３が回転可能に連結され、前記作動空間３６の上内壁には前記第一回転ロッド３３の右側に位置する第二回転ロッド１９が回転可能に連結され、前記第一回転ロッド３３の下端面には旋転板３０が固定的に連結され、前記旋転板３０の下端面には二本の伸縮ロッド２２が固定的に連結され、前記伸縮ロッド２２には昇降ブロック２３が前記伸縮ロッド２２に貫通して連結され、前記昇降ブロック２３の上端面には二本の伸縮バネ２９が固定的に連結され、前記伸縮バネ２９と前記旋転板３０の下端面とが連結され、前記伸縮ロッド２２の下端面には固定板２１が固定的に連結され、前記昇降ブロック２３の中には消しゴム２０が固定的に連結され、前記第二回転ロッド１９の下端面にはブラシ１８が固定的に連結され、前記第一回転ロッド３３には第一ウォームホイール３２が設置され、前記ブラシ１８には第二ウォームホイール４２が設置され、前記伝動空間４８の左内壁には回転軸１７が回転可能に連結され、前記回転軸１７の左端が前記昇降ケース３４を貫通しており、また前記回転軸１７が前記第一ウォームホイール３２及び前記第二ウォームホイール４２と噛み合っており、前記回転軸１７の右端には前記伝動空間４８の中に位置する従動プーリ１６が設置され、前記昇降空間８６の左内壁には右方に開口した移動空間８４が設置され、前記移動空間８４の左内壁には右方に開口したプッシュ板空間７５が設置され、前記移動空間８４の中には前記移動空間８４内で上下方向にスライドできる移動ブロック８３が設置され、また前記移動ブロック８３の右端面と前記回転軸１７とが固定的に連結され、前記移動ブロック８３の上端面には麻縄５２が固定的に連結され、前記移動ブロック８３の左端面には複数の等間隔に配列した引っ掛かり溝９１が形成され、前記プッシュ板空間７５の中には前記プッシュ板空間７５内で左右方向にスライドできるプッシュ板７６が設置され、前記プッシュ板７６の右端には複数の等間隔に配列しかつ右方に開口した止めブロック空間７９が設置され、前記止めブロック空間７９の中には前記止めブロック空間７９内で左右方向にスライドできる止めブロック８１が設置され、前記止めブロック８１の左端面には前記止めブロック空間７９と連結された支持バネ８０が固定的に連結され、前記プッシュ板７６の左端面には二本の復帰バネ７８が固定的に連結され、二本の前記復帰バネ７８と前記プッシュ板空間７５の左内壁とが連結され、前記プッシュ板７６の右端面には引き紐８２が固定的に連結され、本願発明は前記伝動機構６０により動力が提供され、それから前記輸送機構２７により清掃待ちの記憶装置を持続的に送り、最後に、前記昇降機構５０を下げることによって前記清掃機構４３を利用して記憶装置に対して清掃を行う。
【００１６】
有益なように、前記伝動機構６０は前記伝動空間４８の右側に位置する駆動空間５９を含み、前記駆動空間５９の右内壁にはモーター６１が固定的に連結され、前記モーター６１の左端には伝動軸５８が伝動可能に連結され、前記伝動軸５８の左端が前記伝動空間４８の中に延在し、前記伝動軸５８の右端には前記駆動空間５９の中に位置する第一傘歯車５７が設置され、前記伝動軸５８の左端には前記伝動空間４８の中に位置するラチェット５６が設置され、前記ラチェット５６の中には十個のプッシュブロック空間７７が等間隔に設置され、前記プッシュブロック空間７７の中にはいずれも前記プッシュブロック空間７７内で上下方向にスライドできるプッシュブロック６３が設置され、前記プッシュブロック６３の下端面にはリニアスプリング３１が固定的に連結され、前記リニアスプリング３１と前記プッシュブロック空間７７の下内壁とが連結され、前記伝動軸５８の左端には前記ラチェット５６の左側に位置するスライド歯車８８がキーにより連結され、前記スライド歯車８８の中には左方に開口したスライド空間８７が設置され、前記スライド空間８７の中には前記スライド空間８７内でスライドできるスライダ８５が設置され、前記スライダ８５の左端面には前記麻縄５２の一端が固定的に連結され、前記伝動軸５８の左端には前記スライド歯車８８の右側に位置する環状板９０が設置され、前記環状板９０の左端面には二本の連結バネ８９が固定的に連結され、前記連結バネ８９と前記スライド歯車８８の右端面とが連結され、前記伝動軸５８の左端にはまた前記スライド歯車８８の左側に位置する主動プーリ４７が設置され、前記主動プーリ４７にはベルト１５が設置され、前記ベルト１５と前記従動プーリ１６とが連結される。
【００１７】
有益なように、前記昇降機構５０は前記伝動空間４８の左内壁に回転可能に連結された回転ロッド４４を含み、また前記回転ロッド４４の左端が前記昇降空間８６の中に延在し、前記回転ロッド４４の右端には前記伝動空間４８の中に位置する従動歯車４９が設置され、前記回転ロッド４４の左端には前記昇降空間８６の中に位置し、かつ前記ラック４０と噛み合った旋転歯車３７が設置され、前記伝動空間４８の左内壁には前記伝動軸５８と前記回転軸１７との中間に位置する固定ロッド４５が固定的に連結され、前記固定ロッド４５の右端面には支持ブロック９７が固定的に連結され、前記支持ブロック９７には二つの張り空間９６が設置され、前側の前記張り空間９６が前に開口しており、後側の前記張り空間９６が後ろに開口しており、前記張り空間９６の中にはいずれも前記張り空間９６内で前後方向にスライドできる張り板９４が設置され、前側の前記張り板９４と後側の前記張り板９４の後端面には張りブロック９３が固定的に連結され、前記張りブロック９３にはいずれも旋転ロッド９２が回転可能に連結され、前側と後側の前記張り板９４の後端面及び前端面にはそれぞれ張りバネ９５が固定的に連結され、前記張りバネ９５が前記張り空間９６の後内壁及び前内壁とそれぞれ連結され、前記旋転ロッド９２にはいずれも張り車９８が設置され、前記張り車９８には前記ベルト１５が連結され、前記伝動空間４８の上内壁には下方に開口した活動空間５３が設置され、前記活動空間５３の中には前記活動空間５３内で上下方向にスライドできる活動板５４が設置され、前記活動板５４の下端面には前記伝動空間４８の中に延在する活動ロッド５５が固定的に連結され、前記活動板５４の下端面には弾性バネ５１が固定的に連結され、前記弾性バネ５１と前記活動空間５３の下内壁とが連結され、前記活動板５４の左端面には前記引き紐８２が固定的に連結される。
【００１８】
有益なように、前記輸送機構２７は前記輸送空間２６の右側の前内壁と後内壁に回転可能に連結された主動鎖歯車軸１２を含み、前記主動鎖歯車軸１２には主動鎖歯車１３が設置され、前記輸送空間２６の左側の前内壁と後内壁には一つの従動鎖歯車軸２５が回転可能に連結され、前記従動鎖歯車軸２５には従動鎖歯車２４が設置され、前記従動鎖歯車２４と前記主動鎖歯車１３にはいずれも鎖１１が連結され、前記鎖１１の外面には複数の固定ブロック１４が等間隔に固定され、前側の前記固定ブロック１４と後側の前記固定ブロック１４の中にはそれぞれ後ろに開口した固定空間７０と前に開口した固定空間７０が設置され、前記固定空間７０の下内壁の中にはいずれも上方に開口した圧縮空間６８が設置され、前記圧縮空間６８の中には前記圧縮空間６８内で前後方向にスライドできる圧縮ブロック７２が設置され、前側の前記圧縮ブロック７２の前端面には圧縮バネ６９が固定的に連結され、前記圧縮バネ６９と前記圧縮空間６８の前内壁とが連結され、前記圧縮ブロック７２の上端面には前記固定空間７０の中に位置する圧着板７１が固定的に連結され、前記輸送空間２６の内部左側の上内壁には外部空間と連通した記憶装置送り込み口２８が設置され、前記輸送空間２６の右側には集め空間６６が設置され、前記集め空間６６の左内壁には前記輸送空間２６と連通した記憶装置送り出し口１００が設置され、前記集め空間６６の右内壁には外部空間と連通した記憶装置取り口６５が設置され、前記輸送空間２６の右内壁には止めブロック６７が固定的に連結され、清掃完了の記憶装置が前記止めブロック６７に止められ、前記記憶装置送り出し口１００により前記集め空間６６に落ちて収集され、前記駆動空間５９の下内壁には旋転軸６４が回転可能に連結され、前記旋転軸６４の下端が前記輸送空間２６の中に延在し、前記旋転軸６４の上端には前記第一傘歯車５７と噛み合った第二傘歯車６２が設置され、前記旋転軸６４の下端には第三傘歯車７３が設置され、前記主動鎖歯車軸１２の後端には前記第三傘歯車７３と噛み合った第四傘歯車７４が設置される。
【００１９】
有益なように、初期状態において、前記変位板４１が前記弾力バネ３８の作用により前記変位空間３９の上端に位置し、前記昇降ケース３４が前記ラック４０の作用で前記昇降空間８６の上端に位置している。
【００２０】
有益なように、初期状態において、前記スライド歯車８８が前記従動歯車４９の下側に位置し、前記スライド歯車８８と前記従動歯車４９とが噛み合った状態にあり、前記連結バネ８９の引張力は前記スライド歯車８８が前記伝動軸５８でスライドする時に受けた摩擦力より大きい。
【００２１】
本願発明全体の機械動作の順序は以下のとおりである。
【００２２】
１：モーター６１を始動し、モーター６１が作動して伝動軸５８を回転連動させ、そして第一傘歯車５７、ラチェット５６、スライド歯車８８及び主動プーリ４７を回転連動させ、ラチェット５６が回転し、第一傘歯車５７が回転して第一傘歯車５７と噛み合っている第二傘歯車６２を回転連動させ、さらに旋転軸６４と第三傘歯車７３を回転連動させ、第三傘歯車７３と噛み合っている第四傘歯車７４を回転連動させ、主動鎖歯車軸１２と主動鎖歯車１３を回転連動させ、さらに鎖１１により主動傘歯車１３と連結された従動鎖歯車２４を回転連動させ、清掃待ちの記憶装置を弾力バネ３８から固定ブロック１４内の二つの圧着板７１の間に入れて固定し、
２：ラチェット５６の回転によりプッシュブロック６３が投げ出され、こうしてプッシュブロック６３で活動ロッド５５を上方に押し動かして移動させ、そして活動板５４を上方に押し動かして移動させ、引き縄８２が緩くなり、プッシュ板７６が引き紐８２からの引張力を失って復帰バネ７８の作用で右方に移動し、さらに止めブロック８１が移動ブロック８３の左端面と当接し、
３：スライド歯車８８が回転してスライド歯車８８と噛み合っている従動歯車４９を回転連動させ、そして回転ロッド４４及び回転ロッド４４にある旋転歯車３７を回転連動させ、旋転歯車３７と噛み合っているラック４０を駆動して下方に移動させ、弾力バネ３８が緩やかに圧縮され、ラック４０が下方に移動して昇降ケース３４を駆動して下方に移動させ、さらに回転軸１７を駆動して下方に移動させ、回転軸１７の下方への移動により移動ブロック８３が駆動されて移動空間８４内で下方にスライドし、麻縄５２が緩やかに引っ張られ、移動ブロック８３が予めに設計した記憶装置の清掃に便利な高さまで下降した時、麻縄５２が完全に引っ張られ、スライド歯車８８が麻縄５２の引張力で左方へ移動して従動歯車４９との噛み合いから離脱し、従動歯車４９が回転することを停止し、昇降ケース３４が下降することを停止し、移動ブロック８３が下降する過程に、止めブロック８１が引っ掛かり溝９１の中に入って移動ブロック８３の上方への復帰運動を止め、回転軸１７が下方に移動して従動プーリ１６を駆動して下方に移動させ、そしてベルト１５を引っ張り、ベルト１５が二つの張り車９８の作用で始終に従動プーリ１６及び主動プーリ４７と緊密連結し、
４：主動プーリ４７の回転によりベルト１５で連結された従動プーリ１６が駆動されて回転し、そして回転軸１７を回転連動させ、回転軸１７が回転して回転軸１７と噛み合っている第一ウォームホイール３２と第二ウォームホイール４２を回転連動させ、第一ウォームホイール３２が回転して第一回転ロッド３３及び第一回転ロッド３３の下端にある旋転板３０を回転連動させ、さらに旋転板３０の下端にある昇降ブロック２３と昇降ブロック２３内にある消しゴム２０を回転連動させ、消しゴム２０が回転して記憶装置の表面を清掃し、第二ウォームホイール４２が回転して第二回転ロッド１９を回転連動させ、さらにブラシ１８に記憶装置にあるゴムくずを除去させ、清掃完了後の記憶装置が右方に輸送され、最後に止めブロック６７に止められて集め空間６６の中に落ちて収集され、その後、記憶装置取り口６５から取り出され、
５：記憶装置に対する清掃が完了した後、モーター６１を止め、本願発明は作動するが停止し、ラチェット５６が活動ロッド５５を押すことが停止し、活動板５４と活動ロッド５５が弾性バネ５１の作用で下方に移動復帰し、引き紐８２が再び引っ張られ、プッシュ板７６が引き紐８２の引張力で左方に移動復帰し、止めブロック８１が引っ掛かり溝９１から離脱し、清掃機構４３全体が弾力バネ３８の作用で上方に移動復帰し、移動ブロック８３が上方に移動し、麻縄５２が緩くなり、スライド歯車８８が麻縄５２からの引張力を失って連結バネ８９の作用で右方へ移動して再び従動歯車４９と噛み合う。
【００２３】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明はコンピューターの記憶装置に対する清掃設備を開示した。
【解決手段】
ケースを含み、前記ケースの内側下端には輸送空間が設置され、前記ケースの内側上端には前記輸送空間と連通した昇降空間が設置され、前記昇降空間の右側には伝動空間が設置され、前記伝動空間の中には本願発明に動力を提供できる伝動機構が設置され、本願発明は作動する時に、自動的に清掃機構を清掃に最も適合な高度に下げられ、それから記憶装置の表面に清掃を自動的に行い、本願発明は記憶装置に対して清掃を二回行い、まず、消しゴムを利用して記憶装置の表面に積もった汚れを全般的に除去し、さらにブラシにより記憶装置表面についたゴムくずを清掃し、本願発明は持続的に記憶装置を清掃でき、清掃効率を大いに高められる。
【選択図】図１【図１】
0006808141.tif 000002
【図２】
0006808141.tif 000003
【図３】
0006808141.tif 000004
【図４】
0006808141.tif 000005
【図５】
0006808141.tif 000006
【図６】
0006808141.tif 000007
【図７】
0006808141.tif 000008